(57)【要約】【課題】  十分な強度を有して、反りや曲がりが無く断熱性にも優れ、しかも、木工工場などにおいて発生する廃材を資源として有効に利用できる建物の耐力壁構造を提供すること。【解決手段】    少なくとも壁面部11の一側辺に添え板部12を一体に備え、かつ、セルロース系ファイバーと合成樹脂系バインダーとを混練して成形した高密度の硬質の壁板材１を、建物の隣合う柱Ｐ同士または柱Ｐと間柱Ｐ’との間に、前記添え板部12を対面する柱Ｐまたは間柱Ｐ’に止着部材３によって固定して建込むという技術的手段を採用する。【選択図】  図５
0003137939.tif 000002
【実用新案登録請求の範囲】
【請求項１】
少なくとも壁面部11の一側辺に添え板部12を一体に備え、かつ、セルロース系ファイバーと合成樹脂系バインダーとを混練して成形した高密度の硬質の壁板材１を、建物の隣合う柱Ｐ同士または柱Ｐと間柱Ｐ’との間に、前記添え板部12を対面する柱Ｐまたは間柱Ｐ’に止着部材３によって固定して建込むことを特徴とする建物の耐力壁構造。
【請求項２】
壁板材１の壁面部11の各端部の表面両側に添え板部12が略垂直に立設され、壁板材１の断面形状が略Ｈ型に成形されていることを特徴とする請求項１記載の建物の耐力壁構造。
【請求項３】
壁板材１の壁面部11の各端部から表面片側Ｌ字状に添え板部12が略垂直に立設され、壁板材１の断面形状が略コの字型に成形されていることを特徴とする請求項１記載の建物の耐力壁構造。
【請求項４】
壁板材１の両添え板部12・12の間に断熱パネル２が挟持されていることを特徴とする請求項１〜３の何れか一つに記載の建物の耐力壁構造。
【請求項５】
壁板材１の添え板部12に止着孔12ａが開設されており、この止着孔12ａに止着部材３を挿通して、柱Ｐまたは間柱Ｐ’に止着可能であることを特徴とする請求項１〜４の何れか一つに記載の建物の耐力壁構造。
【請求項６】
壁板材１の壁面部11の上部または下部にＬ字型に折曲せるアングル金具４を取付け可能にしたことを特徴とする請求項１〜５の何れか一つに記載の建物の耐力壁構造。
【請求項７】
壁板材１に、セルロース系粉体を少なくとも５０重量％以上含有させることを特徴とする請求項１〜６の何れか一つに記載の建物の耐力壁構造。
【考案の詳細な説明】
【技術分野】
【０００１】
本考案は、住宅などの建物構造の改良、更に詳しくは、十分な強度を有して、反りや曲がりが無く断熱性にも優れ、しかも、木工工場などにおいて発生する廃材を資源として有効に利用でき、簡素な工程で、製造コストを軽減せしめることもできる建物の耐力壁構造に関するものである。
【背景技術】
【０００２】
周知のとおり、住宅構造においては、建物の自重や屋根の積雪などで鉛直方向にかかる荷重と、地震や強風などによる水平方向にかかる荷重に抵抗して建物を支えるための耐力壁を用いて、壁面構造が構成されている。
【０００３】
従来、かかる耐力壁構造は、枠体の対角線に筋交いを入れたり、構造用合板を張って補強したものが知られており、最近では、柱同士または柱と間柱との間に出来合いの耐力壁を嵌め込むものも開示されている(例えば、特許文献１参照)。
【０００４】
しかしながら、かかる従来の耐力壁構造にあっては、補強のために張り付けた板の止着部分や、筋交いを固定する部分（所謂、筋交いプレート）の止着ボルトに、不可避的に応力が集中するため、この止着ボルト部材が曲がったり折れたり捻じ切れてしまうおそれがあった。
【０００５】
また、このような耐力壁構造は、建築現場で組み立てることによって構築するため、製造コストがかかってしまうという不満もあった。
【特許文献１】特開２００２−２３５３９１号公報（第２−３頁、図１−２）
【特許文献２】登録実用新案第３０６８１６６号公報（第５−６頁、図１)
【考案の開示】
【考案が解決しようとする課題】
【０００６】
本考案は、従来の耐力壁構造に上記のような問題があったことに鑑みて為されたものであり、その目的とするところは、十分な強度を有して、反りや曲がりが無く断熱性にも優れ、しかも、木工工場などにおいて発生する廃材を資源として有効に利用できる建物の耐力壁構造を提供することにある。
【課題を解決するための手段】
【０００７】
本考案者が上記課題を解決するために採用した手段を添付図面を参照して説明すれば次のとおりである。
【０００８】
即ち、本考案は、少なくとも壁面部11の一側辺に添え板部12を一体に備え、かつ、セルロース系ファイバーと合成樹脂系バインダーとを混練して成形した高密度の硬質の壁板材１を、建物の隣合う柱Ｐ同士または柱Ｐと間柱Ｐ’との間に、前記添え板部12を対面する柱Ｐまたは間柱Ｐ’に止着部材３によって固定して建込むという技術的手段を採用することによって、建物の耐力壁構造を完成させた。
【０００９】
また、本考案は、上記課題を解決するために、必要に応じて上記手段に加え、壁面部11の各端部の表面両側に添え板部12を略垂直に立設して、壁板材１の断面形状を略Ｈ型に成形するという技術的手段を採用した。
【００１０】
更にまた、本考案は、上記課題を解決するために、必要に応じて上記手段に加え、壁面部11の各端部から表面片側Ｌ字状に添え板部12を略垂直に立設して、壁板材１の断面形状を略コの字型に成形するという技術的手段を採用した。
【００１１】
更にまた、本考案は、上記課題を解決するために、必要に応じて上記手段に加え、壁板材１の両添え板部12・12の間に断熱パネル２を挟持するという技術的手段を採用した。
【００１２】
更にまた、本考案は、上記課題を解決するために、必要に応じて上記手段に加え、壁板材１の添え板部12に止着孔12ａを開設し、この止着孔12ａに止着部材３を挿通して、柱Ｐまたは間柱Ｐ’に止着可能にするという技術的手段を採用した。
【００１３】
更にまた、本考案は、上記課題を解決するために、必要に応じて上記手段に加え、壁板材１の壁面部11の上部または下部にＬ字型に折曲せるアングル金具４を取付け可能にするという技術的手段を採用した。
【００１４】
更にまた、本考案は、上記課題を解決するために、必要に応じて上記手段に加え、壁板材１に、セルロース系粉体を少なくとも５０重量％以上含有させるという技術的手段を採用した。
【考案の効果】
【００１５】
本考案にあっては、少なくとも壁面部の一側辺に添え板部を一体に備え、かつ、セルロース系ファイバーと合成樹脂系バインダーとを混練して成形した高密度の硬質の壁板材を構成したことにより、建物の隣合う柱同士または柱と間柱との間に、前記添え板部を対面する柱または間柱に止着部材によって固定して建込んで、耐力壁構造を構築することができる。
【００１６】
したがって、本考案の建物の耐力壁構造は、十分な強度を有して断熱性にも優れ、しかも、壁板材の原料となるセルロース系粉体は建築現場や製材工場、木工工場などにおいて発生する廃棄木材を資源として有効に利用でき、簡素な工程で、製造コストを軽減せしめることもできる。
【００１７】
また、本考案構造に用いる耐力壁は押出成形により作製されるので、大量生産に優れ、しかも、適宜必要な大きさ（高さ）のものを成形することができるので、現場におけるカットロスを減少させることができる。
【００１８】
また、本考案構造に用いる耐力壁は硬質であるので、反りや曲がりが発生し難く、腐り難く、シロアリも発生し難い。更にまた、断熱性が良<、カットロスも少ないことから、実用的利用価値は頗る高いと云える。
【考案を実施するための最良の形態】
【００１９】
本考案を実施するための最良の形態を具体的に図示した図面に基づいて更に詳細に説明すると、次のとおりである。
【００２０】
本考案の実施形態を図１から図９に基づいて説明する。図中、符号１で指示するものは壁板材１であり、この壁板材１は、セルロース系ファイバーと合成樹脂系バインダーとを混練して成形された高密度の硬質の壁板材１であって、壁面部11の少なくとも一側辺には添え板部12を一体に形成するものであり、本実施形態では、壁面部11の各端部の表面両側に添え板部12を略垂直に立設し、壁板材1の断面形状を略Ｈ型に成形することができる（図１参照）。
【００２１】
しかして、本考案の建物の耐力壁構造を構成するにあたり、当該構造に用いる壁板材１の構成およびその製造工程を以下に具体的に説明する。まず、セルロース系粉体と合成樹脂系バインダーとを混練する。本実施形態では、セルロース系粉体として、木粉を用いるとともに、セルロース系粉体を少なくとも５０重量％以上（更に好ましくは８０重量％程度）含有させて成形することができ、バインダー樹脂の硬化に、より十分な形態性および強度を備えることができる。
【００２２】
本実施形態では、前記合成樹脂系バインダー樹脂として、熱可塑性樹脂を採用し、具体的には、ポリオレフィン系樹脂を用いることができ、更に、このポリオレフィン系樹脂として、ポリプロピレンを用いることができる。
【００２３】
次いで、この混練物を平板状に押し出して硬質ファイバー材（押出直後は帯熱柔軟状態）を成形する。この押出成形については常法に従うものであるが、具体的に説明するならば、例えば、目的とする樹脂成形品の断面形状（本実施形態では、壁面部11の両端に添え板部12を設けたＨ型断面）に対応したダイス穴を有するダイスが先端部に取り付けられ、中心部にはマンドレルが内装された加熱筒内に、軸心方向に沿って押出スクリュが回転可能に挿入配置されてなる押出成形機Ｍを使用する。
【００２４】
そして、加熱筒内に供給された樹脂材料を、加熱筒による外部加熱とスクリュの回転とにより、混練し、可塑化溶融せしめた状態で、ダイス穴から押し出すことによって、目的とする硬質ファイバー材を連続的に成形することができる。然る後、適宜必要な大きさ（高さ）にカットすることができる。
【００２５】
そして、更に、本実施形態では、図３に示すように、壁板材1の両添え板部12・12の間に断熱パネル２を挟持する。この断熱パネル２としては、ポリスチレンフォーム、押出し発泡ポリスチレンフォーム、硬質ウレタンフォーム、高発泡ポリエチレンフォーム、フェノールフォームなどの発泡プラスチック系のボード状のものや、発泡ガラス、発泡炭化カルシウム断熱材などの発泡無機質系のボード状のもの、軽量軟質木質繊維ボード、セルロースファイバーマット、炭化発泡コルクボードなどを採用することができる。
【００２６】
然る後、図４に示すように、壁板材１の添え板部12に止着孔12ａを開設して、この止着孔12ａに止着部材３（本実施形態では、ビス）を挿通することにより、柱Ｐまたは間柱Ｐ’に止着することができる。
【００２７】
そして、上記のように構成した壁板材１は、図５に示すように、柱Ｐと間柱Ｐ’との間に次々と建て込むことができ、本考案の耐力壁構造を完成することができる。なお、図示しないが、間柱Ｐ'を設けない場合には、壁板材１を柱Ｐ同士の間に建て込むことができる。
【００２８】
本考案は、概ね上記のように構成されるが、本考案は図示の実施形態に限定されるものでは決してなく、「実用新案登録請求の範囲」の記載内において種々の変更が可能であって、例えば、図６に示すように、壁板材１の壁面部11の上部または下部にＬ字型に折曲せるアングル金具４を取付け可能にすることができ、上下の基礎部材や天井にも壁板材１を確実に固定した構造にすることができる。
【００２９】
また、本考案の構造に用いる壁板材１は、上記形状に限らず、図７に示すように、壁面部11の各端部から表面片側Ｌ字状に添え板部12を略垂直に立設し、壁板材１の断面形状を略コの字型に成形することもできる。
【００３０】
更にまた、図８に示すように、壁板材１において、添え板部12の両端外側面にそれぞれ外枠突起12ｂ・12ｂを成形することができ、柱Ｐまたは間柱Ｐ’の外周縁部に適合させることにより、簡単に位置決めすることができる。
【００３１】
また、壁板材１の材料に使用するセルロース系粉体としては、木粉に限らず、パルプや木質繊維、おがくず、竹粉、籾殻、破砕チップ材、ケナフ、果実殻粉、古紙などを用いることができる。
【００３２】
更にまた、壁板材１の材料に混合する熱可塑性バインダー樹脂には、ポリプロピレン（ポリオレフィン系樹脂）に限らず、ポリエチレンテレフタレート（ＰＥＴ）、ポリエチレン（ＰＥ）、塩化ビニール（ＰＶＣ）、ＡＢＳなどを採用することもでき、また、ホウ酸などの防蟻性材料や、不燃性、難燃性材料、発泡材として、澱粉などを適宜混練することもでき、これら何れのものも本考案の技術的範囲に属する。
【図面の簡単な説明】
【００３３】
【図１】本考案の実施形態の耐力壁構造に用いる壁板材を表わす断面図である。
【図２】本考案の実施形態の耐力壁構造に用いる壁板材の製造工程を表わす概略図である。
【図３】本考案の実施形態の耐力壁構造に用いる壁板材を表わす断面図である。
【図４】本考案の実施形態の耐力壁構造を表わす説明斜視図である。
【図５】本考案の実施形態の耐力壁構造の建込み例を表わす説明上面図である。
【図６】本考案の実施形態の耐力壁構造の変形例を表わす説明斜視図である。
【図７】本考案の実施形態の耐力壁構造に用いる壁板材の変形例を表わす断面図である。
【図８】本考案の実施形態の耐力壁構造に用いる壁板材の変形例を表わす断面図である。
【符号の説明】
【００３４】
１    壁板材
11    壁面部
12    添え板部
12ａ  止着孔
12ｂ  外枠突起
２    断熱パネル
３    止着部材
４    アングル金具
Ｐ    柱
Ｐ’  間柱
Ｍ    押出成形機
【図１】
0003137939.tif 000003
【図２】
0003137939.tif 000004
【図３】
0003137939.tif 000005
【図４】
0003137939.tif 000006
【図５】
0003137939.tif 000007
【図６】
0003137939.tif 000008
【図７】
0003137939.tif 000009
【図８】
0003137939.tif 000010